【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】  外郭部材の内部に配置された熱交換器と送風ファンを備え、前記外郭部材の下部開口部を画定するように形成された室内空気の吸込口と吹出口との間に、前記熱交換器と前記送風ファンとを含む風路を設けた天井埋込形空気調和機において、
前記外郭部材に外気を導入する接続口を設け、該接続口と前記吸込口を接続する独立した外気導入風路を備えたことを特徴とする天井埋込形空気調和機。
【請求項２】  前記風路は前記吸込口から室内空気を吹込んで熱交換器へ流れる吸込側風路を有し、前記外気導入風路は前記吸込側風路内にあり、かつ前記吸込側風路と分離独立したものであることを特徴とする請求項１記載の天井埋込形空気調和機。
【請求項３】 前記外気導入風路は、前記外郭部材の内側で前記接続口に接続し、前記吸込側風路に位置するダクトにより構成されたことを特徴とする請求項１または請求項２に記載の天井埋込形空気調和機。
【請求項４】  前記ダクトは、前記接続口の近傍において外郭部材に設けた係止部に係止するフランジと、前記外郭部材に設けた固定受け部に当接し連結される固定部を備え、この固定部の連結を着脱することによって前記ダクトを着脱可能としたことを特徴とする請求項３に記載の天井埋込形空気調和機。
【請求項５】  前記接続口を設けた前記外郭部材の側面の内側に、前記外郭部材の両側面及び天面と接する仕切り板を配置し、この仕切り板と前記外郭部材により前記外気導入風路を構成したことを特徴とする請求項１記載の天井埋込形空気調和機。
【請求項６】  前記ダクトの側板に、外気ダクトを通る外気と前記吸込側風路に吸込まれた室内空気とを混合する混合穴を設けたことを特徴とする請求項３または請求項４に記載の天井埋込形空気調和機。
【請求項７】  前記ダクトの側板に、下面側を根元とし、上方が前記ダクトの外側に開口するように切り起して形成された風向板を設けたことを特徴とする請求項３または請求項４に記載の天井埋込形空気調和機。
【請求項８】  前記ダクトの居室側端部近傍に、前記ダクトを通って居室に供給される外気の風向を変える風向調整手段を設けたことを特徴とする請求項３または請求項４に記載の天井埋込形空気調和機。
【請求項９】  前記ダクトの外郭に前記吸込側風路に通じる外気供給口を設けると共に、前記ダクトの内部に、前記外気供給口を開閉して外気を居室側へ送り込む風路と前記吸込側風路へ送り込む風路に分けるダンパーを設けたことを特徴とする請求項３または請求項４に記載の天井埋込形空気調和機。
【請求項１０】  前記外郭部材の側面にほぼ逆Ｕ字状の切欠き部を設け、この切欠き部に配置されるとともに前記外郭部材に着脱可能に取り付けられる接続部材を備え、この接続部材に前記接続口を設けたことを特徴とする請求項１から請求項９のいずれかに記載の天井埋込形空気調和機。
【手続補正２】
【補正対象書類名】明細書
【補正対象項目名】０００７
【補正方法】変更
【補正の内容】
【０００７】
【課題を解決するための手段】
本発明は、外郭部材の内部に配置された熱交換器と送風ファンを備え、外郭部材の下部開口部を画定するように形成された室内空気の吸込口と吹出口との間に、熱交換器と送風ファンとを含む風路を設けた天井埋込形空気調和機において、外郭部材に外気を導入する接続口を設け、接続口と吸込口を接続する独立した外気導入風路を備えた。
また、風路は吸込口から室内空気を吹込んで熱交換器へ流れる吸込側風路を有し、外気導入風路は吸込側風路内にあり、かつ吸込側風路と分離独立して設けた。
さらに、外気導入風路は、外郭部材の内側で接続口に接続し、吸込側風路に位置するダクトにより構成された。
【手続補正３】
【補正対象書類名】明細書
【補正対象項目名】０００８
【補正方法】変更
【補正の内容】
【０００８】
また、ダクトは、接続口の近傍において外郭部材に設けた係止部に係止するフランジと、外郭部材に設けた固定受け部に当接し連結される固定部を備え、この固定部の連結を着脱することによってダクトを着脱可能とした。
【手続補正４】
【補正対象書類名】明細書
【補正対象項目名】０００９
【補正方法】変更
【補正の内容】
【０００９】
さらに、接続口を設けた外郭部材の側面の内側に、外郭部材の両側面及び天面と接する仕切り板を配置し、この仕切り板と外郭部材により外気導入風路を構成した。
【手続補正５】
【補正対象書類名】明細書
【補正対象項目名】００１０
【補正方法】変更
【補正の内容】
【００１０】
また、ダクトの側板に、外気ダクトを通る外気と吸込側風路に吸込まれた室内空気とを混合する混合穴を設けた。
さらに、ダクトの側板に、下面側を根元とし、上方がダクトの外側に開口するように切り起して形成された風向板を設けた。
【手続補正６】
【補正対象書類名】明細書
【補正対象項目名】００１１
【補正方法】変更
【補正の内容】
【００１１】
さらに、ダクトの居室側端部近傍に、ダクトを通って居室に供給される外気の風向を変える風向調整手段を設けた。
また、ダクトの外郭に吸込側風路に通じる外気供給口を設けると共に、ダクトの内部に、外気供給口を開閉して外気を居室側へ送り込む風路と吸込側風路へ送り込む風路に分けるダンパーを設けた。
さらに、外郭部材の側面にほぼ逆Ｕ字状の切欠き部を設け、この切欠き部に配置されるとともに外郭部材に着脱可能に取り付けられる接続部材を備え、この接続部材に接続口を設けた。
【手続補正７】
【補正対象書類名】明細書
【補正対象項目名】００２６
【補正方法】変更
【補正の内容】
【００２６】
【発明の効果】
以上の説明から明らかなように、本発明は、外郭部材の内部に配置された熱交換器と送風ファンを備え、外郭部材の下部開口部を画定するように形成された室内空気の吸込口と吹出口との間に、熱交換器と送風ファンとを含む風路を設けた天井埋込形空気調和機において、外郭部材に外気を導入する接続口を設け、接続口と吸込口を接続する独立した外気導入風路を備えたので、従来のように空気調和機本体と化粧パネルの間にダクトスペースを必要とせず、省スペースにて据付ることができる。また、プレフィルターにゴミ、埃等が捕集されないため、外気導入をしてもゴミ、埃等が居室内に吹き戻されることはない。
また、風路は吸込口から室内空気を吹込んで熱交換器へ流れる吸込側風路を有し、外気導入風路は吸込側風路内にあり、かつ吸込側風路と分離独立して設けたので、同様な効果を得ることができる。
さらに、外気導入風路は、外郭部材の内側で接続口に接続し、吸込側風路に位置するダクトにより構成されたので、同様な効果を得ることができる。
【手続補正８】
【補正対象書類名】明細書
【補正対象項目名】００２７
【補正方法】変更
【補正の内容】
【００２７】
また、ダクトは、接続口の近傍において外郭部材に設けた係止部に係止するフランジと、外郭部材に設けた固定受け部に当接し連結される固定部を備え、この固定部の連結を着脱することによってダクトを着脱可能としたので、ダクトを容易に着脱することができる。
【手続補正９】
【補正対象書類名】明細書
【補正対象項目名】００２８
【補正方法】変更
【補正の内容】
【００２８】
さらに、接続口を設けた外郭部材の側面の内側に、外郭部材の両側面及び天面と接する仕切り板を配置し、この仕切り板と外郭部材により外気導入風路を構成したので、空気調和機本体内に外気導入風路が形成され、省スペースの構成が可能となる。
【手続補正１０】
【補正対象書類名】明細書
【補正対象項目名】００２９
【補正方法】変更
【補正の内容】
【００２９】
また、ダクトの側板に、外気ダクトを通る外気と吸込側風路に吸込まれた室内空気とを混合する混合穴を設けたので、外気の導入が効率よくでき、居室全体に新鮮な外気を供給することができる。
【手続補正１１】
【補正対象書類名】明細書
【補正対象項目名】００３０
【補正方法】変更
【補正の内容】
【００３０】
さらに、ダクトの側板に、下面側を根元とし、上方がダクトの外側に開口するように切り起して形成された風向板を設けたので、外気が居室吸込み空気と混合され、居室に空調空気を吹出すことができる。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】変更
【補正の内容】
【００３２】
さらに、ダクトの居室側端部近傍に、ダクトを通って居室に供給される外気の風向を変える風向調整手段を設けたので、居室にいる人に外気が直接あたることがないため外気流による不快感がなく、快適な空気調和を供給することができる。
【手続補正１４】
【補正対象書類名】明細書
【補正対象項目名】００３３
【補正方法】変更
【補正の内容】
【００３３】
また、ダクトの外郭に吸込側風路に通じる外気供給口を設けると共に、ダクトの内部に、外気供給口を開閉して外気を居室側へ送り込む風路と吸込側風路へ送り込む風路に分けるダンパーを設けたので、この空気調和機の送風装置を利用することによって、吸気を効率よく居室に供給することができる。
さらに、外郭部材の側面にほぼ逆Ｕ字状の切欠き部を設け、この切欠き部に配置されるとともに外郭部材に着脱可能に取り付けられる接続部材を備え、この接続部材に接続口を設けたので、点検、メンテナンスで空気調和機本体を取り外す場合に接続部材のみを外せば外気ダクトをはずせるため、天井を剥がすなどということなく本体をおろすことができる。